(57)【要約】      （修正有）【課題】示画面に表示させる画像の倍率を変更することが可能な画像変倍処理装置を提供する。【解決手段】画像画素数及び画面画素数に基づき倍率値を取得する手段と、ユーザによる所定の操作に従い、倍率設定値群の中から倍率設定値を大きい値及び小さい値の一方から他方に順に選択することが可能な選択手段と、選択手段により選択された倍率設定値で画像を表示画面に表示させる手段とを備えた構成を提供する。この構成において、選択手段は、表示倍率の拡大操作時に、取得倍率値を取得倍率値より小さい倍率設定値の中で最大となる倍率設定値の次に選択し、かつ表示倍率の縮小操作時に、倍率設定値を取得倍率値より大きい倍率設定値の中で最小となる倍率設定値の次に選択する。【選択図】図３
2015073157.tif 000002
【特許請求の範囲】
【請求項１】
予め定められた離散的な２つ以上の倍率設定値であって、大きい値及び小さい値の一方から他方に順に選択操作可能に定義された倍率設定値群を保持する倍率設定値群保持手段と、
所定の画面画素数を持つ表示画面に画像を表示する際、該画像の画像画素数及び該画面画素数に基づき、該画像の一画素を該表示画面の一画素に対応させて表示させる場合の、該画像の表示倍率を取得する表示倍率取得手段と、
ユーザによる所定の操作に従い、前記倍率設定値群の中から前記倍率設定値を大きい値及び小さい値の一方から他方に順に選択することが可能な設定値選択手段と、
前記設定値選択手段により選択された倍率設定値で前記画像を前記表示画面に表示させる表示手段と、
を備え、
前記設定値選択手段は、
前記表示倍率の拡大操作時に、前記取得倍率値を当該取得倍率値より小さい倍率設定値の中で最大となる倍率設定値の次に選択し、かつ該表示倍率の縮小操作時に、該取得倍率値を当該取得倍率値より大きい倍率設定値の中で最小となる倍率設定値の次に選択する、
画像変倍処理装置。
【請求項２】
前記画像を前記取得倍率値で前記表示画面に表示させる際、該画像の一画素が該表示画面の一画素に対応した表示倍率となっていることを報知する報知手段
を備える、
請求項１に記載の画像変倍処理装置。
【請求項３】
前記表示画面は、
前記画像変倍処理装置と異なる外部装置の表示画面であり、
前記画面画素数は、
前記外部装置より知得される、
請求項１又は請求項２に記載の画像変倍処理装置。
【請求項４】
前記報知手段は、
前記外部装置より前記画面画素数を知得することができない場合、前記報知を禁止する、
請求項２を引用する請求項３に記載の画像変倍処理装置。
【請求項５】
前記表示画面は、
前記画像変倍処理装置に備えられる第一の表示画面と、該画像変倍処理装置と異なる外部装置に備えられる第二の表示画面を含み、
前記画面画素数は、
前記画像変倍処理装置より知得される第一の表示画面の画面画素数と、前記外部装置より知得される第二の表示画面の画面画素数を含み、
前記表示倍率取得手段は、
前記画像画素数及び前記第一の表示画面の画面画素数に基づいて第一の取得倍率値を取得すると共に、該画像画素数及び前記第二の表示画面の画面画素数に基づいて第二の取得倍率値を取得し、
前記設定値選択手段は、
前記表示倍率の拡大操作時に、前記第一、第二の取得倍率値をそれぞれ、当該第一、第二の取得倍率値より小さい倍率設定値の中で最大となる倍率設定値の次に選択し、かつ該表示倍率の縮小操作時に、該第一、第二の取得倍率値をそれぞれ、当該第一、第二の取得倍率値より大きい倍率設定値の中で最小となる倍率設定値の次に選択する、
請求項１又は請求項２に記載の画像変倍処理装置。
【請求項６】
前記表示手段は、
前記設定値選択手段により選択された同一の倍率設定値で前記画像を前記第一及び第二の表示画面に表示させる、
請求項５に記載の画像変倍処理装置。
【請求項７】
前記報知手段は、
前記設定値選択手段により選択された倍率設定値が前記第一の取得倍率値であるとき、前記画像の一画素が該第一の表示画面の一画素に対応した表示倍率となっていることを前記第一の表示画面上で報知すると共に当該表示倍率となっていることの報知を前記第二の表示画面上では禁止し、
前記設定値選択手段により選択された倍率設定値が前記第二の取得倍率値であるとき、前記画像の一画素が該第二の表示画面の一画素に対応した表示倍率となっていることを前記第二の表示画面上で報知すると共に当該表示倍率となっていることの報知を前記第一の表示画面では禁止する、
請求項２及び請求項５を引用する請求項６に記載の画像変倍処理装置。
【請求項８】
前記報知手段は、
前記外部装置より前記第二の表示画面の画面画素数を知得することができない場合、前記第二の表示画面上で前記報知を禁止する、
請求項２を引用する請求項５又は請求項６に記載の画像変倍処理装置。
【請求項９】
前記設定値選択手段は、
選択する倍率設定値を、大きい値及び小さい値の一方から他方に順に第一の時間間隔で変更し、該選択される倍率設定値が前記取得倍率値に到達したときに限り、
（１）次の倍率設定値へ前記第一の時間間隔より長い第二の時間間隔で変更する、
又は
（２）次の倍率設定値への変更を停止し、ユーザによる所定の操作を受けた場合に該停止を解除して前記第一の時間間隔での前記倍率設定値の変更を再開する、
請求項１から請求項８の何れか一項に記載の画像変倍処理装置。
【請求項１０】
前記表示画面に表示させる画像を変更する画像変更手段
を備え、
前記画像変更手段により画像が新たに変更される都度、
前記表示倍率取得手段は、
前記新たな変更画像に対応する前記取得倍率値を取得し、
前記設定値選択手段は、
前記表示倍率の拡大操作時に、前記新たな変更画像の取得倍率値を当該取得倍率値より小さい倍率設定値の中で最大となる倍率設定値の次に選択し、かつ該表示倍率の縮小操作時に、該新たな変更画像の取得倍率値を当該取得倍率値より大きい倍率設定値の中で最小となる倍率設定値の次に選択する、
請求項１から請求項９の何れか一項に記載の画像変倍処理装置。
【請求項１１】
前記表示倍率取得手段により前記新たな変更画像に対応するに前記取得倍率値が取得される都度、
前記設定値選択手段は、
前記表示倍率取得手段により取得された前記新たな変更画像の取得倍率値を選択し、
前記表示手段は、
前記設定値選択手段により選択された前記新たな変更画像の取得倍率値で該新たな変更画像を前記表示画面に表示させる、
請求項１０に記載の画像変倍処理装置。
【請求項１２】
前記倍率設定値は、
前記表示画面の表示領域全体を使って前記画像の全体を表示させたときの倍率を１倍とする値である、
請求項１から請求項１１の何れか一項に記載の画像変倍処理装置。
【発明の詳細な説明】
【技術分野】
【０００１】
本発明は、表示画面に表示させる画像の倍率を変更することが可能な画像変倍処理装置に関する。
【背景技術】
【０００２】
撮影画像のピントをユーザに確認させるため、撮影装置に搭載された液晶モニタ等の表示画面に撮影画像をピクセル等倍で表示させる技術が知られている。ピクセル等倍とは、画像の一画素を近似値変換することなく表示画面の一画素に対応させて表示させる場合の、画像の表示倍率である。例えば特許文献１に、撮影画像をピクセル等倍で表示することが可能な装置の具体的構成が記載されている。
【０００３】
特許文献１に記載の装置は、ピント確認モードに設定されている場合、画像表示部上における撮影画像の表示倍率を、最大撮影画素数の画像がピクセル等倍に近い表示となる倍率から最小撮影画素数の画像がピクセル等倍に近い表示となる倍率までの範囲内で変更可能に設定する。
【先行技術文献】
【特許文献】
【０００４】
【特許文献１】特開２００７−１７４６９３号公報
【発明の概要】
【発明が解決しようとする課題】
【０００５】
特許文献１に記載の装置において、ユーザは、撮影画像の構図確認等を行う場合にはピント確認モードを解除操作した上で撮影画像を拡大操作又は縮小操作し、撮影画像のピントを確認する場合にはピント確認モードに設定操作した上で撮影画像の表示倍率をピクセル等倍等に変更操作する。このように、特許文献１に記載の装置では、構図確認やピント確認等の都度、表示モードの設定変更操作等をユーザに強いるため、操作性が悪いという問題が指摘される。
【０００６】
本発明は上記の事情に鑑みてなされたものであり、その目的とするところは、ユーザが撮影画像の構図確認やピント確認を行う際の操作性が改善された画像変倍処理装置を提供することである。
【課題を解決するための手段】
【０００７】
本発明の実施形態に係る画像変倍処理装置は、予め定められた離散的な２つ以上の倍率設定値であって、大きい値及び小さい値の一方から他方に順に選択操作可能に定義された倍率設定値群を保持する倍率設定値群保持手段と、所定の画面画素数を持つ表示画面に画像を表示する際、画像の画像画素数及び画面画素数に基づき、画像の一画素を表示画面の一画素に対応させて表示させる場合の、画像の表示倍率を取得する表示倍率取得手段と、ユーザによる所定の操作に従い、倍率設定値群の中から倍率設定値を大きい値及び小さい値の一方から他方に順に選択することが可能な設定値選択手段と、設定値選択手段により選択された倍率設定値で画像を表示画面に表示させる表示手段とを備える。設定値選択手段は、表示倍率の拡大操作時に、取得倍率値を当該取得倍率値より小さい倍率設定値の中で最大となる倍率設定値の次に選択し、かつ表示倍率の縮小操作時に、取得倍率値を当該取得倍率値より大きい倍率設定値の中で最小となる倍率設定値の次に選択する。
【０００８】
本実施形態によれば、ユーザは、従来と同様に撮影画像の拡大操作又は縮小操作を行う中で、構図確認のための変倍画像とピント確認のためのピクセル等倍表示の画像を、表示モードの切替操作等の煩雑な操作を行うことなくチェックすることができる。従来と同様の操作方法が維持され尚かつ表示モードの切替操作等の煩雑な操作が不要であるため、ユーザが撮影画像の構図確認やピント確認を行う際の操作性の改善が達成される。
【０００９】
画像変倍処理装置は、画像を取得倍率値で表示画面に表示させる際、画像の一画素が表示画面の一画素に対応した表示倍率となっていることを報知する報知手段を備える構成としてもよい。
【００１０】
画像が表示される表示画面は、例えば、画像変倍処理装置と異なる外部装置の表示画面である。この場合、画面画素数は、外部装置より知得される。
【００１１】
報知手段は、外部装置より画面画素数を知得することができない場合、上記の報知を禁止する構成としてもよい。
【００１２】
画像が表示される表示画面は、例えば、画像変倍処理装置に備えられる第一の表示画面と、画像変倍処理装置と異なる外部装置に備えられる第二の表示画面を含む。また、画面画素数は、例えば、画像変倍処理装置より知得される第一の表示画面の画面画素数と、外部装置より知得される第二の表示画面の画面画素数を含む。この場合、表示倍率取得手段は、画像画素数及び第一の表示画面の画面画素数に基づいて第一の取得倍率値を取得すると共に、画像画素数及び第二の表示画面の画面画素数に基づいて第二の取得倍率値を取得する。また、設定値選択手段は、表示倍率の拡大操作時に、第一、第二の取得倍率値をそれぞれ、当該第一、第二の取得倍率値より小さい倍率設定値の中で最大となる倍率設定値の次に選択し、かつ表示倍率の縮小操作時に、第一、第二の取得倍率値をそれぞれ、当該第一、第二の取得倍率値より大きい倍率設定値の中で最小となる倍率設定値の次に選択する。
【００１３】
表示手段は、例えば、設定値選択手段により選択された同一の倍率設定値で画像を第一及び第二の表示画面に表示させる。
【００１４】
報知手段は、設定値選択手段により選択された倍率設定値が第一の取得倍率値であるとき、画像の一画素が第一の表示画面の一画素に対応した表示倍率となっていることを第一の表示画面上で報知すると共に当該表示倍率となっていることの報知を第二の表示画面上では禁止し、設定値選択手段により選択された倍率設定値が第二の取得倍率値であるとき、画像の一画素が第二の表示画面の一画素に対応した表示倍率となっていることを第二の表示画面上で報知すると共に当該表示倍率となっていることの報知を第一の表示画面では禁止する構成としてもよい。
【００１５】
報知手段は、外部装置より第二の表示画面の画面画素数を知得することができない場合、第二の表示画面上で上記の報知を禁止する構成としてもよい。
【００１６】
設定値選択手段は、選択する倍率設定値を、大きい値及び小さい値の一方から他方に順に第一の時間間隔で変更し、選択される倍率設定値が取得倍率値に到達したときに限り、
（１）次の倍率設定値へ第一の時間間隔より長い第二の時間間隔で変更する、
又は
（２）次の倍率設定値への変更を停止し、ユーザによる所定の操作を受けた場合に停止を解除して第一の時間間隔での倍率設定値の変更を再開する、
構成としてもよい。
【００１７】
画像変倍処理装置は、表示画面に表示させる画像を変更する画像変更手段を備える構成としてもよい。画像変更手段により画像が新たに変更される都度、表示倍率取得手段は、新たな変更画像に対応する取得倍率値を取得する。また、設定値選択手段は、表示倍率の拡大操作時に、新たな変更画像の取得倍率値を当該取得倍率値より小さい倍率設定値の中で最大となる倍率設定値の次に選択し、かつ表示倍率の縮小操作時に、新たな変更画像の取得倍率値を当該取得倍率値より大きい倍率設定値の中で最小となる倍率設定値の次に選択する。
【００１８】
表示倍率取得手段により新たな変更画像に対応する取得倍率値が取得される都度、設定値選択手段は、表示倍率取得手段により取得された新たな変更画像の取得倍率値を選択してもよい。また、表示手段は、設定値選択手段により選択された新たな変更画像の取得倍率値で新たな変更画像を表示画面に表示させてもよい。
【００１９】
倍率設定値は、例えば、表示画面の表示領域全体を使って画像の全体を表示させたときの倍率を１倍とする値である。
【発明の効果】
【００２０】
本実施形態によれば、ユーザが撮影画像の構図確認やピント確認を行う際の操作性が改善された画像変倍処理装置が提供される。
【図面の簡単な説明】
【００２１】
【図１】本発明の実施形態の撮影装置の構成を示すブロック図である。
【図２】本発明の実施例１における撮影画像の変倍表示フローを示す図である。
【図３】撮影画像の変倍操作が行われたときの従来の画面更新例と本発明の実施例１の画面更新例を示す図である。
【図４】本発明の実施例２における撮影画像の変倍表示フローを示す図である。
【図５】撮影画像の変倍操作が行われたときの本発明の実施例２の画面更新例を示す図である。
【図６】本発明の実施例３において各設定画素数で撮影された撮影画像を表示する際に用いられる倍率設定値群を示す図である。
【発明を実施するための形態】
【００２２】
以下、本発明の実施形態の画像変倍処理装置について図面を参照しながら説明する。以下においては、本発明の一実施形態として、画像変倍処理装置を搭載するデジタル一眼レフカメラについて説明する。なお、画像変倍処理装置が搭載される電気機器は、デジタル一眼レフカメラに限らず、例えば、ミラーレス一眼カメラ、コンパクトデジタルカメラ、カムコーダ、タブレット端末、ＰＨＳ（Personal Handy phone System）、スマートフォン、フィーチャフォン、携帯ゲーム機、デスクトップＰＣ（Personal Computer）、ノートＰＣなど、画像の表示を制御可能な別の形態の電子機器に置き換えてもよい。
【００２３】
［撮影装置１の構成］
図１は、本実施形態のデジタル一眼レフカメラ（以下、便宜上、単に「撮影装置」と記す。）１の構成を示すブロック図である。図１に示されるように、撮影装置１は、ＣＰＵ（Central Processing
Unit）１００、操作部１０２、絞り・シャッタ駆動回路１０４、撮影レンズ１０６、絞り１０８、シャッタ１１０、イメージセンサ１１２、信号処理回路１１４、画像処理エンジン１１６、バッファメモリ１１８、カード用インタフェース１２０、ＬＣＤ（Liquid Crystal Display）制御回路１２２、ＬＣＤ１２４、ＲＯＭ（Read Only Memory）１２６及び外部接続インタフェース１２８を備えている。
【００２４】
操作部１０２には、電源スイッチやレリーズスイッチ、撮影モードスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２５】
レリーズスイッチが操作されると、ＣＰＵ１００は、撮影装置１に内蔵されたＴＴＬ（Through The Lens）露出計（不図示）で測定された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。なお、この種のＡＥ及びＡＦの構成及び制御については周知であるため、ここでの詳細な説明は省略する。
【００２６】
被写体からの光束は、撮影レンズ１０６、絞り１０８、シャッタ１１０を通過してイメージセンサ１１２により受光される。イメージセンサ１１２は、例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して電気信号に変換し、信号処理回路１１４に出力する。信号処理回路１１４は、イメージセンサ１１２より入力される電気信号（撮影データ）に対して所定の信号処理を施して、画像処理エンジン１１６に出力する。
【００２７】
画像処理エンジン１１６は、信号処理回路１１４より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。
【００２８】
カード用インタフェース１２０のカードスロットには、メモリカード２００が着脱可能に差し込まれている。
【００２９】
画像処理エンジン１１６は、カード用インタフェース１２０を介してメモリカード２００と通信可能である。画像処理エンジン１１６は、生成された圧縮画像信号（撮影画像データ）をメモリカード２００（又は撮影装置１に備えられる不図示の内蔵メモリ）に保存する。
【００３０】
また、画像処理エンジン１１６は、Ｙ／Ｃ分離後の信号に所定の信号処理を施して、フレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画を、ＬＣＤ１２４の表示画面を通じて視認することができる。
【００３１】
画像処理エンジン１１６は、ユーザにより撮影画像の再生操作が行われると、操作により指定された撮影画像データをメモリカード２００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４の表示画面に表示される。
【００３２】
外部接続インタフェース１２８は、外部表示装置２と接続するためのインタフェースである。外部表示装置２は、表示画面２０を備える電子機器であり、例えば、デジタル一眼レフカメラ、ミラーレス一眼カメラ、コンパクトデジタルカメラ、カムコーダ、タブレット端末、ＰＨＳ、スマートフォン、フィーチャフォン、携帯ゲーム機、デスクトップＰＣ、ノートＰＣ、テレビモニタである。
【００３３】
外部接続インタフェース１２８は、ＨＤＭＩ（High-Definition Multimedia Interface、ＨＤＭＩは登録商標）、ＵＳＢ（Universal Serial Bus）等の有線接続プロトコルや、Wi-Fi、Bluetooth（登録商標）、IrDA等の無線接続プロトコルを用いてデスクトップＰＣ等と通信可能である。撮影画像データは、外部接続インタフェース１２８を介して外部表示装置２へ転送される。外部表示装置２は、転送された撮影画像データをローカル又はネットワーク上のＵＲＩ（Uniform Resource Identifier）に保存する。外部表示装置２は、例えば、ユーザによる操作に従い、ローカル又はネットワーク上のＵＲＩに保存された撮影画像データをデコードし、デコードにより得られた撮影画像を表示画面２０に表示する。
【００３４】
また、外部表示装置２の表示画面２０には、例えば、ＬＣＤ１２４と同期した内容（静止画や動画、スルー画）が表示される。一例として、ユーザにより撮影画像（静止画）の再生操作が行われた場合を考える。この場合、画像処理エンジン１１６は、操作により指定された撮影画像（静止画）をＬＣＤ１２４の表示画面に表示すると共に外部接続インタフェース１２８を介して外部表示装置２へ転送し、ＬＣＤ１２４の表示画面に表示されている撮影画像と同一のものを表示画面２０に表示させる。
【００３５】
外部接続インタフェース１２８は、テレビモニタと接続されている場合、撮影画像のコンポーネント映像信号等を出力する。テレビモニタには、ＬＣＤ１２４と同期した内容（静止画や動画、スルー画）が表示される。
【００３６】
なお、オーバレイテキスト等の付加情報については、ユーザによる操作部１０２の設定や表示内容に応じて同期又は非同期に表示される。
【００３７】
［撮影画像の変倍表示フロー］
（実施例１）
次に、撮影装置１による撮影画像の変倍表示フローを説明する。図２は、本発明の実施例１に係る撮影画像の変倍表示フローを示す。図２に示される撮影画像の変倍表示フローは、ＬＣＤ１２４の表示画面に撮影画像（静止画や動画、スルー画）が表示された時点で開始され、当該撮影画像の表示が別の画面（別の撮影画像やメニュー画面等）に切り替えられた時点で終了する。変倍表示フローはまた、レリーズスイッチが操作された時点で終了されてもよい。
【００３８】
［図２のＳ１１（倍率値の計算）］
本処理ステップＳ１１では、ＬＣＤ１２４の表示画面に表示されている撮影画像をＬＣＤ１２４上でピクセル等倍表示する場合の、撮影画像の表示倍率（以下、「ピクセル等倍率値」と記す。）が計算される。ここで、撮影画像の表示倍率は、表示画面の表示領域全体を使って撮影画像の全体を表示させたときの倍率を１倍とする値である。本実施例１では、ＬＣＤ１２４の表示画面全体に撮影画像の全体を表示させたときの倍率が１倍となる。ピクセル等倍率値は、撮影画像の画素数（縦ピクセル×横ピクセル）及びＬＣＤ１２４の表示画面の画素数（縦ピクセル×横ピクセル）を用いて計算される。
【００３９】
ＬＣＤ１２４の表示画面の画素数は、既知の情報としてＲＯＭ１２６等に予め格納されているため、本処理ステップＳ１１の実行時に確実に知得される。また、表示中のスルー画の画素数は、設定状態を検出する等により検知可能である。一方、メモリカード２００に保存された撮影画像の画素数は、Ｅｘｉｆ（Exchangeable image file format）等のメタ領域より知得する必要がある。そのため、撮影画像のフォーマットによっては画素数を知得することができず、ピクセル等倍率値を計算することができない。本フローチャートの処理は、ピクセル等倍率値を計算することができた場合（図２のＳ１１：ＹＥＳ）、図２の処理ステップＳ１２（倍率設定値群の更新）に進み、ピクセル等倍率値を計算することができなかった場合（図２のＳ１１：ＮＯ）、図２の処理ステップＳ１３（撮影画像に対する変倍操作の検知）に進む。
【００４０】
［図２のＳ１２（倍率設定値群の更新）］
ＲＯＭ１２６には、予め定められた離散的な２つ以上の倍率設定値（例えば、２倍、４倍、８倍、１６倍、・・・）であって、大きい値及び小さい値の一方から他方に順に選択操作可能に定義された倍率設定値群が格納されている。倍率設定値群は、ＬＣＤ１２４の表示画面に撮影画像が表示された時点でＲＯＭ１２６より読み出されており、本フローチャートの処理が終了するまでバッファメモリ１１８に保持される。
【００４１】
本処理ステップＳ１２では、図２の処理ステップＳ１１（倍率値の計算）にて計算されたピクセル等倍率値が倍率設定値の１つとして倍率設定値群に組み入れられる。具体的には、ピクセル等倍率値が、表示倍率の拡大操作時に、ピクセル等倍率値より小さい倍率設定値の中で最大となる倍率設定値の次に選択され、かつ表示倍率の縮小操作時に、ピクセル等倍率値より大きい倍率設定値の中で最小となる倍率設定値の次に選択されるように倍率設定値群に組み入れられる。
【００４２】
例として、ピクセル等倍率値が６．５倍である場合を考える。この場合、ピクセル等倍率値は、倍率設定値が２倍、４倍、６．５倍、８倍、１６倍、・・・の順に、及び・・・１６倍、８倍、６．５倍、４倍、２倍の順に選択操作されるように倍率設定値群に組み入れられる。なお、更新後の設定群において、６．５倍の倍率設定値には、ピクセル等倍率値であることを示す識別情報が関連付けられる。
【００４３】
また、ピクセル等倍率値が４倍であるなど、既存の倍率設定値の１つと偶々一致する場合が考えられる。この場合、倍率設定値群は、既存の倍率設定値（４倍）が新たな設定倍率値（同じく４倍であるが、ピクセル等倍率値であることを示す識別情報が関連付けられたもの）に書き換えられる。
【００４４】
［図２のＳ１３（撮影画像に対する変倍操作の検知）］
本処理ステップ１３では、撮影画像に対する変倍操作の実行が待機される。撮影画像の表示倍率は、例えば、ユーザが操作部１０２に設けられたダイヤルやレバーを操作することで変更される。拡大操作時には、図２の処理ステップＳ１２（倍率設定値群の更新）にて更新された倍率設定値群の倍率設定値であって、現在の倍率設定値より一段大きい倍率設定値（例えば２倍→４倍）に変更される。縮小操作時には、現在の倍率設定値より一段小さい倍率設定値（例えば８倍→４倍）に変更される。本フローチャートの処理は、変倍操作の実行が検知されると（図２のＳ１３：ＹＥＳ）、図２の処理ステップＳ１４（ピクセル等倍の判定）に進む。
【００４５】
［図２のＳ１４（ピクセル等倍の判定）］
本処理ステップ１４では、図２の処理ステップＳ１３（撮影画像に対する変倍操作の検知）にて検知された変倍操作後の撮影画像の表示倍率がピクセル等倍率値と一致するか否かが判定される。本判定処理は、ピクセル等倍率値であることを示す識別情報が現在の倍率設定値に関連付けられているか否かに基づいて行われる。
【００４６】
本フローチャートの処理は、変倍操作後の撮影画像の表示倍率がピクセル等倍率値と一致する場合（図２のＳ１４：ＹＥＳ）、図２の処理ステップＳ１５（ピクセル等倍画像の表示）に進む。変倍操作後の撮影画像の表示倍率がピクセル等倍率値と一致しない場合は（図２のＳ１４：ＮＯ）、図２の処理ステップＳ１６（通常変倍画像の表示）に進む。
【００４７】
なお、図２の処理ステップＳ１１（倍率値の計算）にてピクセル等倍率値を計算することができなかった場合は、本処理ステップＳ１４をＮＯ判定とみなして、図２の処理ステップＳ１６（通常変倍画像の表示）に進む。
【００４８】
［図２のＳ１５（ピクセル等倍画像の表示）］
本処理ステップＳ１５では、撮影画像がＬＣＤ１２４の表示画面にピクセル等倍率値で表示される。このとき、撮影画像がピクセル等倍率値で表示されていることがユーザに報知される。例えば、ピクセル等倍率値で表示中であることを示す所定のマークやメッセージがＬＣＤ１２４の表示画面にオーバレイ表示されたり、ピクセル等倍率値で表示中であることを伝える音声がスピーカ（不図示）にて再生されたりする。ピクセル等倍率値での表示は、新たな変倍操作の実行が検知されるまで（図２のＳ１３：ＹＥＳ）又は本フローチャートの処理が終了するまで継続する。
【００４９】
［図２のＳ１６（通常変倍画像の表示）］
本処理ステップＳ１６では、撮影画像がＬＣＤ１２４の表示画面に変倍操作後の倍率設定値で表示される。変倍操作後の倍率設定値での表示は、新たな変倍操作の実行が検知されるまで（図２のＳ１３：ＹＥＳ）又は本フローチャートの処理が終了するまで継続する。
【００５０】
［画面更新例］
図３（ａ）は、撮影画像の変倍操作が行われたときの従来の画面更新例を示し、図３（ｂ）は、本実施例１で撮影画像の変倍操作が行われたときの画面更新例を示す。なお、図３（ｂ）の例においてピクセル等倍率値は６．５倍である。
【００５１】
図３（ａ）の従来の画面更新例によれば、撮影画像は、一段分の拡大操作又は縮小操作が行われる毎に、規定の倍率設定値（１倍（全体表示）→２倍→４倍→８倍→１６倍又は１６倍→８倍→４倍→２倍→１倍（全体表示））に従って拡大表示又は縮小表示される。
【００５２】
図３（ｂ）の本実施例１における画面更新例によれば、撮影画像は、一段分の拡大操作又は縮小操作が行われる毎に、図２の処理ステップＳ１２（倍率設定値群の更新）にて更新された倍率設定値群の倍率設定値（１倍（全体表示）→２倍→４倍→６．５倍→８倍→１６倍又は１６倍→８倍→６．５倍→４倍→２倍→１倍（全体表示））に従って拡大表示又は縮小表示される。６．５倍表示のときには、ピクセル等倍率値で表示中であることを示す所定のマークやメッセージがＬＣＤ１２４の表示画面にオーバレイ表示される。
【００５３】
このように、本実施例１によれば、ユーザは、従来と同様に撮影画像の拡大操作又は縮小操作を行う中で、構図確認のための変倍画像とピント確認のためのピクセル等倍表示の画像を、表示モードの切替操作等の煩雑な操作を行うことなくチェックすることができる。従来と同様の操作方法が維持され尚かつ表示モードの切替操作等の煩雑な操作が不要であるため、ユーザが撮影画像の構図確認やピント確認を行う際の操作性の改善が達成される。
【００５４】
操作部１０２に設けられたレバーが拡大表示方向へ押し続けられている場合を考える。この場合、例えば、ＬＣＤ１２４の表示画面に１倍表示されていた撮影画像は、第一の極僅かな時間間隔で２倍表示、４倍表示、６．５倍（ピクセル等倍率値）表示に順に拡大される。第一の極僅かな時間間隔は、例えば、次の倍率設定値での表示に切り替わるまでに掛かる時間をユーザが知覚することができない程度に短い。
【００５５】
撮影画像は、６．５倍（ピクセル等倍率値）表示まで拡大されると、
（１）第一の極僅かな時間間隔より長い第二の時間間隔を空けた後、８倍表示に拡大される。８倍表示から１６倍表示への拡大は、第一の極僅かな時間間隔で行われる。第二の時間間隔は、撮影画像がピクセル等倍率値で表示されていることをユーザに知覚させるのに十分に長い時間間隔である。
又は
（２）レバーが拡大表示方向へ押し続けられているか否かに拘わらず６．５倍（ピクセル等倍率値）表示で停止する。撮影画像は、レバーの拡大表示方向への操作が一旦解除された後に再開されると、第一の極僅かな時間間隔で８倍表示、１６倍表示に順に拡大される。
【００５６】
（実施例２）
図４は、本発明の実施例２に係る撮影画像の変倍表示フローを示す。本実施例２において、撮影画像は、ＬＣＤ１２４の表示画面及び外部表示装置２の表示画面２０に同一の倍率設定値で表示される。図４に示される撮影画像の変倍表示フローは、ＬＣＤ１２４の表示画面及び外部表示装置２の表示画面２０に撮影画像が表示された時点で開始され、当該撮影画像の表示が別の画面（別の撮影画像やメニュー画面等）に切り替えられた時点で終了する。なお、本実施例２以降の説明において、前出の実施例の説明と重複する内容は適宜簡略又は省略する。
【００５７】
［図４のＳ２１（倍率値の計算）］
本処理ステップＳ２１では、ＬＣＤ１２４の表示画面に対応するピクセル等倍率値（以下、「カメラ側ピクセル等倍率値」と記す。）及び外部表示装置２の表示画面２０に対応するピクセル等倍率値（以下、「外部装置側ピクセル等倍率値」と記す。）が計算される。
【００５８】
外部表示装置２がＨＤＭＩ通信可能なデスクトップＰＣである場合を考える。この場合、撮影装置１は、表示画面２０の画素数を外部表示装置２との通信を介して知得する。外部装置側ピクセル等倍率値は、撮影画像の画素数及びデスクトップＰＣより知得される表示画面２０の画素数を用いて計算される。本フローチャートの処理は、少なくとも外部装置側ピクセル等倍率値が計算されるため（図４のＳ２１：ＹＥＳ）、図４の処理ステップＳ２２（倍率設定値群の更新）に進む。
【００５９】
外部表示装置２がコンポーネント映像信号対応のテレビモニタである場合を考える。この場合、信号は、撮影装置１とテレビモニタとの間で単方向に（撮影装置１からテレビモニタへ）送られるのみである。そのため、撮影装置１は、表示画面２０の画素数をテレビモニタから知得することができず、外部装置側ピクセル等倍率値を計算することができない。従って、本フローチャートの処理は、カメラ側ピクセル等倍率値を計算することができた場合には（図４のＳ２１：ＹＥＳ）、図４の処理ステップＳ２２（倍率設定値群の更新）へ進むが、カメラ側ピクセル等倍率値も計算することができなかった場合（図４のＳ２１：ＮＯ）には、図４の処理ステップＳ２３（撮影画像に対する変倍操作の検知）へ進む。
【００６０】
［図４のＳ２２（倍率設定値群の更新）］
倍率設定値群は、ＬＣＤ１２４の表示画面及び外部表示装置２の表示画面２０に撮影画像が表示された時点でＲＯＭ１２６より読み出されており、本フローチャートの処理が終了するまでバッファメモリ１１８に保持される。
【００６１】
本処理ステップＳ２２では、図４の処理ステップＳ２１（倍率値の計算）にて計算されたピクセル等倍率値（カメラ側ピクセル等倍率値及び外部装置側ピクセル等倍率値の少なくとも一方）が倍率設定値として倍率設定値群に組み入れられる。
【００６２】
例えば、カメラ側ピクセル等倍率値は、表示倍率の拡大操作時に、カメラ側ピクセル等倍率値より小さい倍率設定値の中で最大となる倍率設定値の次に選択され、かつ表示倍率の縮小操作時に、カメラ側ピクセル等倍率値より大きい倍率設定値の中で最小となる倍率設定値の次に選択されるように倍率設定値群に組み入れられる。
【００６３】
また、外部装置側ピクセル等倍率値は、表示倍率の拡大操作時に、外部装置側ピクセル等倍率値より小さい倍率設定値の中で最大となる倍率設定値の次に選択され、かつ表示倍率の縮小操作時に、外部装置側ピクセル等倍率値より大きい倍率設定値の中で最小となる倍率設定値の次に選択されるように倍率設定値群に組み入れられる。
【００６４】
例として、カメラ側ピクセル等倍率値、外部装置側ピクセル等倍率値がそれぞれ、６．５倍、２．８倍である場合を考える。この場合、カメラ側ピクセル等倍率値と外部装置側ピクセル等倍率値は、倍率設定値が２倍、２．８倍、４倍、６．５倍、８倍、１６倍、・・・の順に、及び・・・１６倍、８倍、６．５倍、４倍、２．８倍、２倍の順に選択操作されるように倍率設定値群に組み入れられる。
【００６５】
［図４のＳ２３（撮影画像に対する変倍操作の検知）］
本処理ステップ２３では、撮影画像に対する変倍操作の実行が待機される。本フローチャートの処理は、変倍操作の実行が検知されると（図４のＳ２３：ＹＥＳ）、図４の処理ステップＳ２４（ピクセル等倍の判定）に進む。
【００６６】
［図４のＳ２４（ピクセル等倍の判定）］
本処理ステップ２４では、図４の処理ステップＳ２３（撮影画像に対する変倍操作の検知）にて検知された変倍操作後の撮影画像の表示倍率がピクセル等倍率値（カメラ側ピクセル等倍率値及び外部装置側ピクセル等倍率値の少なくとも一方）と一致するか否かが判定される。
【００６７】
本フローチャートの処理は、変倍操作後の撮影画像の表示倍率がピクセル等倍率値（カメラ側ピクセル等倍率値及び外部装置側ピクセル等倍率値の少なくとも一方）と一致する場合（図４のＳ２４：ＹＥＳ）、図４の処理ステップＳ２５（ピクセル等倍画像の表示）に進む。変倍操作後の撮影画像の表示倍率がピクセル等倍率値（カメラ側ピクセル等倍率値及び外部装置側ピクセル等倍率値の少なくとも一方）と一致しない場合は（図４のＳ２４：ＮＯ）、図４の処理ステップＳ２６（通常変倍画像の表示）に進む。
【００６８】
なお、図４の処理ステップＳ２１（倍率値の計算）にてカメラ側ピクセル等倍率値と外部装置側ピクセル等倍率値の何れも計算することができなかった場合は、本処理ステップＳ２４の判定処理をＮＯ判定とみなして、図４の処理ステップＳ２６（通常変倍画像の表示）に進む。
【００６９】
［図４のＳ２５（ピクセル等倍画像の表示）］
本処理ステップＳ２５では、撮影画像が表示画面にピクセル等倍率値で表示される。このとき、撮影画像がピクセル等倍率値で表示されていることがユーザに報知される。
【００７０】
カメラ側ピクセル等倍率値の場合、例えば、ピクセル等倍表示中であることを報知する所定のマークやメッセージがＬＣＤ１２４の表示画面にオーバレイ表示される。一方、外部表示装置２側ではピクセル等倍表示とならない。そのため、上記マークやメッセージは表示が禁止され、表示画面２０にオーバレイ表示されない。
【００７１】
外部装置側ピクセル等倍率値の場合、例えば、ピクセル等倍表示中であることを報知する所定のマークやメッセージが外部表示装置２の表示画面２０にオーバレイ表示される。一方、撮影装置１側ではピクセル等倍表示とならない。そのため、上記マークやメッセージは表示が禁止され、ＬＣＤ１２４の表示画面にオーバレイ表示されない。
【００７２】
上記マークやメッセージに代えて、上記マークやメッセージに相当する音声が再生されてもよい。
【００７３】
ピクセル等倍率値での表示は、新たな変倍操作の実行が検知されるまで（図４のＳ２３：ＹＥＳ）又は本フローチャートの処理が終了するまで継続する。
【００７４】
［図４のＳ２６（通常変倍画像の表示）］
本処理ステップＳ２６では、撮影画像がＬＣＤ１２４の表示画面及び外部表示装置２の表示画面２０に変倍操作後の倍率設定値で表示される。変倍操作後の倍率設定値での表示は、新たな変倍操作の実行が検知されるまで（図４のＳ２３：ＹＥＳ）又は本フローチャートの処理が終了するまで継続する。
【００７５】
［画面更新例］
図５（ａ）は、本実施例２で撮影画像の変倍操作が行われたときの撮影装置１における画面更新例を示し、図５（ｂ）は、本実施例２で撮影画像の変倍操作が行われたときの外部表示装置２における画面更新例を示す。なお、図５の例において、カメラ側ピクセル等倍率値、外部装置側ピクセル等倍率値はそれぞれ、６．５倍、２．８倍である。
【００７６】
図５の画面更新例によれば、撮影画像は、一段分の拡大操作又は縮小操作が行われる毎に、図４の処理ステップＳ２２（倍率設定値群の更新）にて更新された倍率設定値群の倍率設定値（１倍（全体表示）→２倍→２．８倍→４倍→６．５倍→８倍→１６倍又は１６倍→８倍→６．５倍→４倍→２．８倍→２倍→１倍（全体表示））に従って拡大表示又は縮小表示される。２．８倍表示のときには、外部装置側ピクセル等倍率値で表示中であることを示す所定のマークやメッセージが外部表示装置２の表示画面２０でのみオーバレイ表示される。６．５倍表示のときには、カメラ側ピクセル等倍率値で表示中であることを示す所定のマークやメッセージがＬＣＤ１２４の表示画面でのみオーバレイ表示される。
【００７７】
このように、本実施例２において、ユーザは、従来と同様に撮影画像の拡大操作又は縮小操作を行う中で、構図確認のための変倍画像とピント確認のためのピクセル等倍表示の画像を、表示モードの切替操作等の煩雑な操作を行うことなく、撮影装置１や外部表示装置２の表示画面上でチェックすることができる。
【００７８】
（実施例３）
撮影画像の画素数（縦ピクセル×横ピクセル）は、ユーザによる操作部１０２の操作に従い、設定変更可能である。本発明の実施例３では、前提として、各設定画素数で撮影された撮影画像がメモリカード２００内に混在して保存されている。
【００７９】
図６（ａ）〜図６（ｄ）は、本実施例３において各設定画素数で撮影された撮影画像を表示する際に用いられる倍率設定値群を示す図である。図６（ａ）〜図６（ｄ）はそれぞれ、互いに異なる設定画素数で撮影された４枚の撮影画像Ｉ１〜Ｉ４の倍率設定値群を示す。なお、本実施例３では、便宜上、撮影画像をＬＣＤ１２４の表示画面に表示させるケースのみ説明する。
【００８０】
本実施例３において、ＬＣＤ１２４の表示画面の表示がユーザによる操作部１０２の画像選択操作に従い、撮影画像Ｉ１、Ｉ２、Ｉ３、Ｉ４に順に変更される場合を考える。この場合、画像選択操作が行われる都度、操作により選択された撮影画像（以下、「選択画像」と記す。）を対象にカメラ側ピクセル等倍率値が計算されて、倍率設定値群に組み入れられる。次いで、計算されたカメラ側ピクセル等倍率値が選択され、選択されたカメラ側ピクセル等倍率値でＬＣＤ１２４の表示画面に選択画像が表示される。すなわち、ＬＣＤ１２４の表示画面には、選択画像がカメラ側ピクセル等倍率値で表示される。なお、撮影画像を変更せずに変倍操作を行った場合は、本実施例１や本実施例２と同様に、撮影画像が変倍操作後の倍率設定値で表示される。
【００８１】
図６（ａ）〜図６（ｄ）に示されるように、撮影画像Ｉ１、Ｉ２、Ｉ３、Ｉ４のカメラ側ピクセル等倍率値はそれぞれ、２．８倍、７倍、６．５倍、１０倍である。従って、ＬＣＤ１２４の表示画面には、２．８倍表示の撮影画像Ｉ１、７倍表示の撮影画像Ｉ２、６．５倍表示の撮影画像Ｉ３、１０倍表示の撮影画像Ｉ４が順に表示される。
【００８２】
なお、カメラ側ピクセル等倍率値は、各画像の撮影時点で予め計算され撮影画像に関連付けられていてもよい。この場合、画像選択操作の都度、カメラ側ピクセル等倍率値を逐次計算する必要が無くなる。
【００８３】
本実施例３は、例えば、複数枚の撮影画像のピントを素早く確認したい場合に有用である。
【００８４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【００８５】
１  撮影装置
１００  ＣＰＵ
１０２  操作部
１０４  絞り・シャッタ駆動回路
１０６  撮影レンズ
１０８  絞り
１１０  シャッタ
１１２  イメージセンサ
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
１２８  外部接続インタフェース
２００  メモリカード
【図１】
2015073157.tif 000003
【図２】
2015073157.tif 000004
【図３】
2015073157.tif 000005
【図４】
2015073157.tif 000006
【図５】
2015073157.tif 000007
【図６】
2015073157.tif 000008